(57)【要約】      （修正有）【課題】複数の大入賞口を備えたパチンコ機における不正行為による賞球獲得を防止することができる手段を提供する。【解決手段】遊技領域に複数の大入賞口３、４を配設し、大入賞口３、４の最大更新ラウンド数、大入賞口への入賞球１カウントに対する賞球数等の違いにより価値が相違する複数種類の大当り遊技を設け、発生した大当りの種類に対応していずれかの大入賞口３又は４を開閉動作させる。大入賞口３、４に対して共通に設けられ、それぞれの大入賞口３、４に入賞した全ての遊技球を検出する共通検出スイッチ３１と、所定の大入賞口４に対して設けられ、大入賞口４に入賞した遊技球のみを検出する所定検出スイッチ３０とを配設すると共に、大入賞口４に入賞した遊技球が先ず所定検出スイッチ３０によって検出され、次に共通検出スイッチ３１によって検出されるように、所定検出スイッチ３０を共通検出スイッチ３１よりも上流に配設する。【選択図】図２
2006305150.tif 000002
【特許請求の範囲】
【請求項１】
大入賞口を遊技領域に複数個備え、
複数種類の異なる大当り遊技を有し、発生した前記大当り遊技の種類に対応して前記複数の大入賞口のいずれかが開閉動作を行うパチンコ機であって、
前記複数の大入賞口に対して共通に設けられ、それぞれの大入賞口に入賞した全ての遊技球を検出する共通検出スイッチと、
前記複数の大入賞口のうちの所定の大入賞口に対して設けられ、該所定の大入賞口に入賞した遊技球のみを検出する所定検出スイッチとを有し、
前記所定の大入賞口に入賞した遊技球が前記共通検出スイッチに検出されるよりも先に前記所定検出スイッチによって検出されるように、前記所定検出スイッチは前記共通検出スイッチよりも上流に配設されており、
前記所定の大入賞口が開閉動作を行う大当り遊技が発生した場合は、前記所定検出スイッチ及び前記共通検出スイッチによって遊技球が検出されたときに該発生した大当り遊技で獲得し得る正規の賞球が払い出され、前記所定以外の大入賞口が開閉動作を行う大当り遊技が発生した場合は、前記共通検出スイッチのみによって遊技球が検出されたときに該発生した大当り遊技で獲得し得る正規の賞球が払い出されることを特徴とするパチンコ機。
【請求項２】
前記共通検出スイッチによって遊技球が検出されることにより予め定められた所定球数１が払い出され、前記所定検出スイッチによって遊技球が検出されることにより予め定められた所定球数２が払い出されるように設定されていることを特徴とする請求項１に記載のパチンコ機。
【請求項３】
前記所定の大入賞口が開閉動作を行う大当り遊技では、入賞した遊技球が前記所定検出スイッチ及び前記共通検出スイッチによって検出されたときに予め定められた所定球数の賞球が払い出され、前記所定以外の大入賞口が開閉動作を行う大当り遊技では、入賞した遊技球が前記共通検出スイッチのみによって検出されたときに前記予め定められた所定球数の賞球が払い出されることを特徴とする請求項１に記載のパチンコ機。
【発明の詳細な説明】
【技術分野】
【０００１】
本発明は、不正遊技の防止手段に関するもの、特に、価値の異なる複数の遊技球入賞口を備えたパチンコ機において、正規の賞球よりも多くの賞球を獲得し得る不正遊技の防止手段に関するものである。
【背景技術】
【０００２】
従来から、遊技領域内に複数の大入賞口を配設したパチンコ機は開発されている。そして、各大入賞口が有している価値、即ち、各大入賞口への遊技球の入賞に伴って払い出される賞球数を異ならせるようにしたパチンコ機も開発されている。下記に示す特許文献１には、２つの開閉体（大入賞口）を上下に配置する可変入賞部品を備えたパチンコ機が開示されている。このパチンコ機によれば、特別図柄合わせ遊技の当り外れ抽選で確率変動が抽選された場合に、第１開閉駆動源が可変入賞部品における上側の開閉体の開閉を行い、次回または次回から数回まで特別図柄始動入賞に伴う特別図柄合わせ遊技で当りの発生する確率が高くなる確率変動が発生して遊技者に有利な遊技状況となることを遊技者に報知し、また、特別図柄合わせ遊技の当り外れ抽選で確率変動が抽選されなかった場合に、第２開閉駆動源が可変入賞部品における下側の開閉体の開閉を行い、次回以降も特別図柄始動入賞に伴う特別図柄合わせ遊技で当りの発生する確率が通常の遊技状況であることを遊技者に報知する。
【０００３】
また、下記に示す非特許文献１には、２つの大入賞口を上下に配置させると共に、継続し得るラウンド数が相違する複種類の大当り遊技を設け、発生した大当り遊技の種類（ラウンド数）によって開閉動作させる大入賞口を変化させることにより、その発生した大当り遊技で遊技者が獲得し得る賞球数を異ならせるようにしたパチンコ機が開示されている。このパチンコ機によれば、６ラウンドと１５ラウンドの大当り遊技が設けられ、６ラウンドの大当り遊技が発生した場合には上側に配置されている大入賞口を最大６ラウンドまで開閉動作させ、１５ラウンドの大当り遊技が発生した場合には下側に配置されている大入賞口を最大１５ラウンドまで開閉動作させる。
【０００４】
【特許文献１】特開２００３−３４００１０号公報
【非特許文献１】「パチンコ攻略マガジン」双葉社、２００５年１月２３日号、ｐ．００８−０１１
【発明の開示】
【発明が解決しようとする課題】
【０００５】
しかしながら、上記特許文献１及び非特許文献１に開示されたパチンコ機のように、大入賞口が複数配置されている構成では、発生した大当り遊技の種類に対応していずれかの大入賞口が開閉動作する場合、入賞球を検出する検出スイッチとその検出信号を受けて賞球を払い出す制御回路との接続配線、あるいは各大入賞口とその大入賞口を駆動させる制御回路との接続配線を不正行為によって差し換えることにより、正規のパチンコ遊技による獲得賞球よりも多くの賞球を獲得し得るという問題があった。このような問題を解決するために、配線が差し替えられたことを確認する検出スイッチや、不正を検出した場合に大入賞口への遊技球の入賞を阻止する部材を設けることが考えられるが、このような方法では部品の増大や構造の煩雑化を招くという不具合があった。
【０００６】
そこで、本願発明はこのような事情に鑑みてなされたものであり、賞球の払い出しに関する制御信号を伝達するための配線が差し換えられる不正行為が行われた場合にも、部品の増大や構造の煩雑化を招くことなく、正規のパチンコ遊技による獲得球数よりも多くの遊技球が獲得されないようにする不正球獲得行為の防止手段を提供することを目的とするものである。
【課題を解決するための手段】
【０００７】
上記課題を解決するために、請求項１に係るパチンコ機の発明は、所定の条件に基づいて開閉動作を行う大入賞口を遊技領域に複数個備え、複数種類の異なる大当り遊技を有し、発生した前記大当り遊技の種類に対応して前記複数の大入賞口のいずれかが開閉動作を行うパチンコ機であって、前記複数の大入賞口に対して共通に設けられ、それぞれの大入賞口に入賞した全ての遊技球を検出する共通検出スイッチと、前記複数の大入賞口のうちの所定の大入賞口に対して設けられ、該所定の大入賞口に入賞した遊技球のみを検出する所定検出スイッチとを有し、前記所定の大入賞口に入賞した遊技球が前記共通検出スイッチに検出されるよりも先に前記所定検出スイッチによって検出されるように、前記所定検出スイッチは前記共通検出スイッチよりも上流に配設されており、前記所定の大入賞口が開閉動作を行う大当り遊技が発生した場合は、前記所定検出スイッチ及び前記共通検出スイッチによって遊技球が検出されたときに該発生した大当り遊技で獲得し得る正規の賞球が払い出され、前記所定以外の大入賞口が開閉動作を行う大当り遊技が発生した場合は、前記共通検出スイッチのみによって遊技球が検出されたときに該発生した大当り遊技で獲得し得る正規の賞球が払い出されることを特徴とするものである。
【０００８】
また、請求項２に係るパチンコ機の発明は、請求項１に記載の発明において、前記共通検出スイッチによって遊技球が検出されることにより予め定められた所定球数１が払い出され、前記所定検出スイッチによって遊技球が検出されることにより予め定められた所定球数２が払い出されるように設定されていることを特徴とするものである。この構成によれば、一球の入賞に対しそれぞれ賞球数が異なる複数の大入賞口を備えたパチンコ機に有効に対応でき、一つの検出スイッチの検出による賞球数を一定にしたまま、各大入賞口への入賞によって異なる数の賞球を払い出すことができる。
【０００９】
また、請求項３に係るパチンコ機の発明は、請求項１に記載の発明において、前記所定の大入賞口が開閉動作を行う大当り遊技では、入賞した遊技球が前記所定検出スイッチ及び前記共通検出スイッチによって検出されたときに予め定められた所定球数の賞球が払い出され、前記所定以外の大入賞口が開閉動作を行う大当り遊技では、入賞した遊技球が前記共通検出スイッチのみによって検出されたときに前記予め定められた所定球数の賞球が払い出されることを特徴とするものである。この構成によれば、一球の入賞に対して同じ数の賞球を払い出す複数の大入賞口を備えたパチンコ機において有効に不正遊技を防止することができる。
【発明の効果】
【００１０】
本発明に係るパチンコ機によれば、発生した大当り遊技の種類に応じて大入賞口に入賞した遊技球を検出するスイッチが予め定められているため、検出したスイッチを判別することによって発生した大当り遊技に対する不正行為が行われているか否かを容易に判断することができる。また、部品の増大や構造の煩雑化を招くことなく不正遊技を防止することができる。
【発明を実施するための最良の形態】
【００１１】
以下、本発明に係るパチンコ機の実施の形態を添付図面に基づいて説明する。
図１は、パチンコ機の一形態を示す正面図である。このパチンコ機１は、遊技領域５の略中央部にいわゆるセンター役物として複数の図柄を変動表示あるいは停止表示させる可変表示装置２を備えたパチンコ機である。図示を省略する発射装置から遊技球が打ち出され、打ち出された遊技球が所定の入賞口へ入賞すると、その入賞に基づいて可変表示装置２に複数の図柄（数字や絵柄等）が予め定められた所定時間変動表示される。所定時間経過後に、乱数の中から抽選によって選択された図柄が停止表示され、その停止表示された図柄が予め定められた特定の組み合わせ図柄の場合、大入賞口３又は大入賞口４が所定時間連続して開放し遊技球の入賞し易い状態となって短時間で多くの賞球を得ることが可能となり、遊技者に有利な特別遊技状態（大当たり遊技状態）が発生する。
【００１２】
パチンコ機１は前面枠２１を備えており、その前面枠２１に対して開閉可能に窓枠２２が蝶着されている。窓枠２２の裏側には、略正方形状の遊技盤７が配設されている。遊技盤７上には、発射装置から打出された遊技球を誘導する略円弧状の外レール８ａ及び内レール８ｂが設けられ、この二つのレール８ａと８ｂによって囲まれた部分が遊技領域５を形成している。発射装置から打出された遊技球はこの遊技領域５を流下する。そして遊技球が遊技領域５に設けられている入賞口に入賞する等の所定の条件を満たすと予め定められている賞球が払い出される。遊技領域５の略中央には可変表示装置２が設けられ、この可変表示装置２には、図柄の変動表示および停止表示、動画像による演出表示等が行われる可変表示部９が設けられている。可変表示部９には、左表示部９ａ、中表示部９ｂ、右表示部９ｃの３つの表示部が設けられており、それぞれの表示部に、所定の条件に基づいて複数の図柄が独立して変動表示、および停止表示される。
【００１３】
可変表示装置２の下側には始動入賞口１０が設けられており、この始動入賞口１０への遊技球の入賞（上述した所定の条件）に基づいて可変表示部９に図柄の変動表示動作が開始される。始動入賞口１０の下側には、可変表示部９ａ〜９ｃに特定の図柄の組み合わせが停止表示したとき、例えば、「６」「６」「６」、「７」「７」「７」のように同じ図柄が３つ停止表示したとき（以下、大当り発生時ともいう）に開閉動作を行う可変入賞装置６が設けられている。可変入賞装置６には、上下に配設された複数の大入賞口３、４（アタッカーともいわれる）が設けられており、大当り発生時にはこの大入賞口３、４が開閉動作を行う。大入賞口３、４は、遊技領域５と直交する前後方向に開閉する扉から構成されており、閉鎖時には遊技領域５から遊技球が入賞することはなく、開放時にのみ遊技球が入賞する可能性を有する構成になっている。
【００１４】
発射装置から打ち出された遊技球は、遊技領域５を流下し、始動入賞口１０に入賞すると、可変表示部９に図柄の変動表示動作が開始されると共に、その変動表示動作に対する当たり／外れ等を決定する乱数の抽選が行なわれる。乱数は、主制御手段（ＣＰＵ）の乱数発生手段によって生成され、主制御手段で生成される動作クロック（例えば、周期４ｍｓ）により値を＋１（更新）して行き、最大値を超えると０に戻り、以後、これを繰り返すカウンタ機能を使用している。
【００１５】
抽選は、始動入賞口１０内の入賞球検出スイッチが遊技球を検出した時の乱数の値を読込み、その乱数値を予め定められた当たり数値と比較することで行われる。乱数値と当たり値との比較の結果、それらが一致する場合に当たりとなり、不一致の場合に外れとなる。従って、始動入賞口１０への遊技球の入賞に基づく図柄の変動表示動作の当たり／外れは乱数の抽選が行なわれた時点で決定される。
【００１６】
また、抽選された乱数の結果（数値）に対応して、可変表示部９に停止表示される図柄の組合せ（以下、停止図柄ともいう）が予め決められており、乱数の抽選が行なわれるとその抽選された乱数値に対応する停止図柄が読み込まれ、可変表示部９における所定時間の図柄の変動表示の後に、読み込まれた停止図柄が各表示部９ａ〜９ｃに停止表示される。この表示部９ａ〜９ｃに停止表示される図柄のうち、左表示部９ａと中表示部９ｂに停止表示された図柄が同じ場合（左表示部９ａと中表示部１１ｂに図柄が停止表示され、右表示部１１ｃにのみ図柄が変動表示されている状態）には、いわゆるリーチ状態が発生する。そして、このリーチ状態が発生するか否かは、可変表示部９に停止表示される図柄が読み込まれた時点、即ち、乱数の抽選が行なわれた時点で決定される。
【００１７】
大当りの発生に基づいて大入賞口３、４は、予め定められた所定時間（例えば、３０秒間）継続しての開放状態となる。また、大入賞口３、４は、所定時間の継続開放後、一旦、閉鎖状態となり、再度開放状態となる動作を繰り返す。この所定時間の開放状態から閉鎖状態となるまでの一連の動作を、いわゆる１ラウンドといい、一連の動作を繰返し得る回数を継続最大ラウンド数という。継続最大ラウンド数は、大入賞口毎に予め定められており、この形態では、大入賞口３の最大継続ラウンド数は６回であり、大入賞口４の最大継続ラウンド数は１５回である。尚、各ラウンドの終了は、所定時間によってのみ制限されるものではなく、所定時間内に予め定められた遊技球数が大入賞口に入賞した場合は、その遊技球数が検出された時点でそのラウンドは終了し、次のラウンドが開始される。大入賞口３、４に入賞した遊技球の検出は、大入賞口３、４内に設けられている検出スイッチによって検出され、その検出球数は検出スイッチに接続されている制御回路（制御手段）によってカウントされる。詳細は後述する。
【００１８】
また、停止表示された特定図柄、即ち、大当りを発生させた停止図柄の種類によっていずれの大入賞口が開閉動作を行うか予め定められており、この形態では、特定図柄の組合せが「０」「０」「０」、「２」「２」「２」、「４」「４」「４」、「６」「６」「６」、「８」「８」「８」のように偶数図柄のときは上側に配設されている大入賞口３が開閉動作を行い、「１」「１」「１」、「３」「３」「３」、「５」「５」「５」、「７」「７」「７」、「９」「９」「９」のように奇数図柄のときは下側に配設されている大入賞口４が開閉動作を行う。つまり、偶数図柄で大当りが発生した場合には、大入賞口３が開閉動作を行い、その最大継続ラウンド数は６回であり、奇数図柄で大当りが発生した場合には、大入賞口４が開閉動作を行い、その最大継続ラウンド数は１５回である。
【００１９】
従って、偶数図柄で大当りが発生したときと、奇数図柄で大当りが発生したときとでは、遊技者が獲得し得る賞球数が相違する。以下、獲得し得る賞球数のことを「価値」といい、この形態のように最大継続ラウンド数が６回の大当り態様と最大継続ラウンド数が１５回の大当り態様を有しているような場合のことを、価値の異なる２種類の大当り遊技の態様を有しているという。そして、最大継続ラウンド数が６回の大当りが発生したときに開閉動作を行う大入賞口３のことを、最大継続ラウンド数が６回の大当り遊技に対応した大入賞口といい、最大継続ラウンド数が１５回の大当りが発生したときに開閉動作を行う大入賞口４のことを、最大継続ラウンド数が１５回の大当り遊技に対応した大入賞口という。
【００２０】
大入賞口３、４の左右両側には、一般入賞口１１が設けられている。また、大入賞口４の下側には、遊技領域５を流下していずれの入賞口にも入賞しなかった遊技球、いわゆる外れ球が排出されるアウト口１２が設けられている。また、窓枠２２の下方前面部には、球皿部１３を備えた一体皿１４が配設されている。球皿部１３には、図示を省略する遊技球の貯留タンクと連通し、貯留タンクの遊技球を球皿部１３へ流出させる連通口が形成されている。一体皿１４の右側下部には発射装置から発射される遊技球の発射強度、即ち、遊技球の飛距離を調整するためのハンドル１８が設けられている。
【００２１】
ここで、価値の異なる大当り遊技とは、上述した最大継続ラウンド数が６回の大当り態様と最大継続ラウンド数が１５回の大当り態様のような大当り遊技における最大継続ラウンド数の相違によるものに限定されず、以下のような相違による態様であってもよい。例えば、各ラウンドの終了条件、即ち、次のラウンドに更新される条件の一つである大入賞口への遊技球の入賞許容球数（以下、ラウンド更新許容球数ともいう）の相違により大当り遊技の価値を異ならせる態様であってもよい。具体的には、上側に配設された大入賞口３は、大入賞口３が継続して開放状態となっている所定時間内に５球の遊技球が入賞したときにはそのラウンドを終了させ、下側に配設された大入賞口４は、大入賞口４が継続して開放状態となっている所定時間内に９球の遊技球が入賞したときにはそのラウンドを終了させるようにして各大当り遊技の価値を相違させる。
【００２２】
また、例えば、各大入賞口への１入賞球（入賞球１カウント）に対する賞球数の相違により大当り遊技の価値を異ならせる態様であってもよい。具体的には、上側に配設された大入賞口３は、大入賞口３への入賞球１カウントに対する賞球数を１０球とし、下側に配設された大入賞口４は、大入賞口４への入賞球１カウントに対する賞球数を１５球とすることによって各大当り遊技の価値を相違させる。
【００２３】
また、例えば、各大入賞口の形状を相違させることにより大入賞口への遊技球の入賞確率を相違させ大当り遊技の価値を異ならせる態様であってもよい。具体的には、上側に配設した大入賞口３の横方向の大きさよりも下側に配設された大入賞口４の横方向の大きさを大きく形成し、大入賞口４が開放した場合の方が遊技球の入賞する球数が多くなるようにすることによって各大当り遊技の価値を相違させる。この場合、通常の遊技を行う限りにおいては、大入賞口３、４の大きさを相違させても、１ラウンドの大入賞口継続開放時間内には、いずれの大入賞口３、４においてもラウンド更新許容球数に達する可能性は高いが、そのラウンド更新許容球数に達するまでに遊技者が発射装置から打ち出す（使用する）遊技球数に違いが生じ、結果として大当り遊技で獲得する球数（遊技者の手持ち球数）が相違してくる。
【００２４】
また、例えば、遊技領域５上に大入賞口を配設する位置を相違させることにより大入賞口への遊技球の入賞確率を相違させ大当り遊技の価値を異ならせる態様であってもよい。具体的には、図１に示す形態においても同様であるが、大入賞口３、４を上下方向に並べて配設することによって各大当り遊技の価値を相違させる。大入賞口３、４を上下方向へ並べて配設した場合、通常、遊技領域を流下する遊技球は植設されている釘の調整により、流下するにしたがって中央部に集まるように設定されているため、下側に配置されている大入賞口４の開放時の方が、上側の大入賞口３の開放時よりも遊技球の大入賞口への入賞確率は高くなる。この場合、通常の遊技を行う限りにおいては、大入賞口３、４の配設位置を相違させても、ラウンド更新許容球数に達する可能性が高いこと、および結果として大当り遊技で獲得する球数（遊技者の手持ち球数）が相違してくることは上述の通りである。
【００２５】
また、大入賞口３、４の配設位置を左右方向に配設することによって大当り遊技の価値を異ならせる態様、各大入賞口３、４の１ラウンドにおける継続開放時間を相違させることによって大当り遊技の価値を異ならせる態様であってもよい。さらに、上記のような各相違点を組み合わせることによって大当り遊技の価値を異ならせる態様であってもよい。
【００２６】
次に、大入賞口３、４に入賞した遊技球２９を検出する検出スイッチについて説明する。
図２は、図１と同様に大入賞口３と４とが上下に配設された構成のものであり、大入賞口３、４に接続して形成されている遊技球通路２６、２８、及びその遊技球通路に設けられた入賞球検出スイッチ３０、３１を模式的に表わしたものである。尚、大入賞口内の構成を理解し易くするために図２では、開閉動作を行う扉部分を取り除いて表わしている。
【００２７】
大入賞口３、４は、遊技領域５から入賞した遊技球を遊技盤７の裏側に排出する取込み型のものである。大入賞口３内には排出口２５が設けられており、遊技領域５から大入賞口３に入賞した遊技球は、排出口２５を通って大入賞口３の外部に排出される。排出口２５は遊技球通路２６に接続されている。遊技球通路２６は大入賞口３に入賞した遊技球を、遊技盤７の裏側に設けられている排出球貯留部（図示省略）に排出するための通路で、遊技盤７の裏側に形成されている。排出口２５から排出された遊技球は遊技球通路２６を通って排出球貯留部に排出される。大入賞口４内には排出口２７が設けられており、遊技領域５から大入賞口４に入賞した遊技球は、排出口２７を通って大入賞口３の外部に排出される。排出口２７は遊技球通路２８に接続されている。遊技球通路２８は大入賞口４に入賞した遊技球を、遊技盤７の裏側に設けられている排出球貯留部に排出するための通路で、遊技盤７の裏側に形成されている。排出口２７から排出された遊技球は遊技球通路２８を通って排出球貯留部に排出される。
【００２８】
遊技球通路２６は遊技球通路２８に接続されており、大入賞口３から排出された遊技球は遊技球通路２６を通過した後、遊技球通路２８に入り、大入賞口４から排出された遊技球と合流して、遊技球通路２８を通って排出される。遊技球通路２８には、大入賞口３、４に入賞した遊技球を検出する入賞球検出スイッチ３０、３１が設けられている。遊技球通路２８において入賞球検出スイッチ３０は入賞球検出スイッチ３１よりも上流側に設けられている。
【００２９】
入賞球検出スイッチ３０は、遊技球通路２６と遊技球通路２８の合流位置３２よりも上流側に設けられており、大入賞口４に入賞した遊技球のみを検出するスイッチである（以下、所定検出スイッチ３０ともいう）。入賞球検出スイッチ３１は、遊技球通路２６と遊技球通路２８の合流位置３２よりも下流側に設けられており、大入賞口３及び大入賞口４の両方に入賞した遊技球を検出するスイッチである（以下、共通検出スイッチ３１ともいう）。つまり、大入賞口３に入賞した遊技球は共通検出スイッチ３１のみによって検出され、大入賞口４に入賞した遊技球は所定検出スイッチ３０及び共通検出スイッチ３１によって検出される。そして、大入賞口４に入賞した遊技球は、上流側に配設されている所定検出スイッチ３０で先に検出され、その後に下流側に配設されている共通検出スイッチ３１で検出される。
【００３０】
図３は、本発明に係るパチンコ機の制御部の主な構成を示すブロック図である。以下、このブロック図に基づいて遊技球の制御部の機能および動作について説明する。
本発明は、上述したように大入賞口を複数個備えると共に、価値の異なる複数種類の大当り遊技の態様を有するパチンコ機において、発生した大当り遊技に対応して予め定められている大入賞口が開閉動作を行うものであり、遊技の主な制御は、主制御基板４０に搭載された主制御手段（ＣＰＵ）４１によって実行されている。
【００３１】
遊技者のハンドル１８操作によって発射装置から打ち出された遊技球が始動入賞口１０へ入賞すると、その入賞は始動入賞口に設けられた始動検出スイッチ１０ａによって検出される。始動検出スイッチ１０ａの検出信号は、主制御手段４１に送信され、主制御手段４１は、この検出信号の入力に基づいて、その遊技球の入賞に対する乱数の抽選処理を行なうと共に、図柄の変動表示を開始させるための図柄変動信号を図柄制御基板４２に搭載されている副制御手段（ＣＰＵ）４３に送信する。図柄変動信号を受けた副制御手段４３は、可変表示装置２を制御する信号を出力し、この制御信号に基づいて可変表示装置２の可変表示部９に図柄の変動表示および停止表示動作が行われる。
【００３２】
上記主制御手段４１による乱数の抽選の結果が大当りを発生させる数値であり、可変表示部９に特定の図柄の組み合わせが停止表示されると、大入賞口３又は大入賞口４を開閉動作させるための制御信号が主制御手段４１から中継基板４４を介して駆動源であるソレノイド４５又は４６に送信される。大入賞口３又は４の開閉動作は停止表示された特定の図柄の種類によって予め定められており、特定図柄が「０」「０」「０」、「２」「２」「２」等の偶数図柄である場合には、大入賞口３が開閉動作を行い、特定図柄が「１」「１」「１」、「３」「３」「３」等の奇数図柄である場合には、大入賞口４が開閉動作を行う。従って、偶数図柄で大当りが発生したときは、主制御手段４１からソレノイド４５を駆動させ大入賞口３を開閉動作させるための制御信号が出力され、奇数図柄で大当りが発生したときは、主制御手段４１からソレノイド４６を駆動させ大入賞口４を開閉動作させるための制御信号が出力される。
【００３３】
大入賞口３及び４の遊技球通路２６、２８には、上述したように入賞球検出スイッチ３０及び３１が設けられている。大入賞口３が開放して遊技領域５から大入賞口３に入賞した遊技球２９は、共通検出スイッチ３１のみによって検出され、大入賞口４が開放して遊技領域５から大入賞口４に入賞した遊技球２９は、所定検出スイッチ３０及び共通検出スイッチ３１によって検出される。所定検出スイッチ３０及び共通検出スイッチ３１による検出信号は中継基板４４を介して主制御手段４１に入力される。主制御手段４１は、入力された検出信号に応じて、遊技球払出し信号を払出制御基板４７に搭載され副制御手段（ＣＰＵ）４８に送信する。副制御手段４８は、送信された遊技球払出し信号に応じて予め定められている数の賞球を払い出すよう賞球信号を払出装置４９に送信する。払出装置４９は賞球信号を受けて一体皿１４の球皿部１３に賞球を払い出す。
【００３４】
１ラウンドの大入賞口継続開放時間、ラウンド更新許容球数は予め定められているため、大当り遊技が開始されると主制御手段４１によって、開始された大当り遊技に対する大入賞口継続開放時間、及び大入賞口への入賞球数が計測される。また、大入賞口３が開閉動作を行う場合の最大継続ラウンド数と、大入賞口４が開閉動作を行う場合の最大継続ラウンド数は予め定められているため、主制御手段４１によって開始された大当り遊技に対する継続ラウンド数が計測されると共に、大入賞口３あるいは４の開閉動作が制御される。尚、図３に示すブロック図の形態においては中継基板４４を設けて主制御基板４０の主制御手段４１と周辺部材との制御信号の送受信を行っているが、この形態に限定されるものではなく、中継基板４４を介さずに直接信号の送受信を行う場合であってもよい。
【００３５】
図４は、中継基板４４を介して主制御基板４０に接続されている大入賞口３、４及び入賞球検出スイッチ３０、３１を示したものであり、図（ａ）は正常な正規の接続状態を示し、図（ｂ）から図（ｄ）は不正行為によって接続が変更された状態を示す。大入賞口が複数個設けられ、一球の入賞球に対して払い出される賞球数が各大入賞口によって相違しているような場合、大当り遊技時に通常の遊技によって獲得できる賞球数よりも多くの賞球を得ようとして遊技者が行うであろう想定され得る主な変更接続状態が図（ｂ）から図（ｄ）に示す形態である。大入賞口３、４及び入賞球検出スイッチ３０、３１はそれぞれ別個のコネクタ５１〜５４を介して中継基板４４に接続配線されている。図（ａ）に示すように正常な接続状態では、大入賞口３はコネクタ５１を介して中継基板４４に接続配線され、共通検出スイッチ３１はコネクタ５２を介して、大入賞口４はコネクタ５３を介して、所定検出スイッチ３０はコネクタ５４を介してそれぞれ中継基板４４に接続配線されている。
【００３６】
図（ｂ）は、不正行為によって大入賞口３の駆動源４５の配線と大入賞口４の駆動源４６の配線が逆に接続され、大入賞口３がコネクタ５３を介して、大入賞口４がコネクタ５１を介して中継基板４４に接続配線された状態を示している。また、図（ｃ）は、不正行為によって共通検出スイッチ３１の配線と所定検出スイッチ３０の配線が逆に接続され、共通検出スイッチ３１がコネクタ５４を介して、所定検出スイッチ３０がコネクタ５２を介して中継基板４４に配線接続された状態を示している。さらに図（ｄ）は、不正行為によって大入賞口３の駆動源４５の配線と大入賞口４の駆動源４６の配線、および共通検出スイッチ３１の配線と所定検出スイッチ３０の配線が逆に接続され、大入賞口３がコネクタ５３を介して、大入賞口４がコネクタ５１を介して、共通検出スイッチ３１がコネクタ５４を介して、所定検出スイッチ３０がコネクタ５２を介して中継基板４４に配線接続された状態を示している。以下、本発明に係るパチンコ機において、このような不正行為によって正規の配線と異なる配線に接続された場合の制御内容および賞球の払出処理についてフローチャートに基づき説明する。
【００３７】
図５、図６は、大当り遊技が発生したときに実行される制御の一形態を示すフローチャートである。この形態は、図１に示すパチンコ機と同様に、遊技領域５に上下方向へ２個の大入賞口（大入賞口（上）３、大入賞口（下）４）が配設されたものであり、大入賞口３、４には、図２に示す構成と同様に、所定検出スイッチ３０と、共通検出スイッチ３１とが設けられている。また、大入賞口３が開閉動作を行う大当り遊技の最大継続ラウンドは６ラウンドであり、大入賞口４が開閉動作を行う大当り遊技の最大継続ラウンドは１５ラウンドである。また、所定検出スイッチ３０により１球の遊技球が検出されたときに払い出される賞球数は、予め定められた所定球数の２球（所定球数１）であり、共通検出スイッチ３１により１球の遊技球が検出されたときに払い出される賞球数は、予め定められた所定球数の１３球（所定球数２）である。つまり大入賞口３に入賞した遊技球は共通検出スイッチ３１のみによって検出され、その入賞に対して払い出される賞球は１３球であり、大入賞口４に入賞した遊技球は、先ず所定検出スイッチ３０によって検出され、次に共通検出スイッチ３１によって検出されて、その入賞に対して払い出される賞球は１５球（２球＋１３球）である。この設定では所定球数１と所定球数２とは異なる球数に定められているが、必ずしも異なる必要はなく同数に設定する場合、例えば、所定球数１及び所定球数２を共に５球に設定する場合であってもよい。
【００３８】
図５に示すフローチャートの通常遊技（ステップ６１）において、可変表示部９に停止表示された図柄が特定の図柄であり大当り状態が発生するとステップ６２に進み大当り遊技が開始される。先ずステップ６３において、発生した大当り遊技の種類が判別される。大当り遊技の内容は停止表示された当り図柄の種類によって定められており、当り図柄が偶数図柄の組合せである場合には大入賞口（上）３が開閉動作を行う大当り遊技（以下、大当り１ともいう）が行われ、当り図柄が奇数図柄の組合せである場合には大入賞口（下）４が開閉動作を行う大当り遊技（以下、大当り２ともいう）が行われる。
【００３９】
ステップ６３において発生した大当り遊技が「大当り１」であると判別された場合には、ステップ６４に進み大入賞口（上）３が開放される。一方、ステップ６３において発生した大当り遊技が「大当り１」ではないと判別された場合には、図６に示すフローチャートのステップ８１に進む。ステップ６４で大入賞口（上）３が開放されると、ステップ６５に進み、所定検出スイッチ３０による遊技球の検出があったか否かの判別が行われる。ステップ６３において大当り１が発生したと判別され、大入賞口（上）３が開放されているため、入賞した遊技球は共通スイッチ３１のみによって検出されるべきものである。従って、通常であればステップ６５において入賞した遊技球が所定検出スイッチ３０で検出されることはなく、ステップ６５において所定検出スイッチ３０により遊技球の検出があったと判別された場合には、異常状態が発生していると判断される。
【００４０】
そして、その場合にはステップ６６に進み、異常状態の発生が外部に報知される。この報知は、例えば、各パチンコ機に設けた報知ランプの点滅表示によって行われる。また、パチンコホールに設置されたパチンコ機全体の管理を行っているホールコンピュータに異常状態発生の信号を送信して報知するようにしてもよい。ホール側の従業員はこの報知を受けて異常状態の原因を調査し、不正行為の有無を確認することができる。続いてステップ６７において異常状態が解除されたか否かの判別が行われ、解除されていると判別された場合にはステップ６５に戻る。一方、異常状態が解除されていないと判別された場合には、外部への報知が継続されると共に、パチンコ遊技は異常状態が解除されるまで中断される。
【００４１】
ステップ６５において、所定検出スイッチ３０による遊技球の検出がないと判別された場合には、ステップ６８に進み、共通検出スイッチ３１による遊技球の検出があったか否かの判別が行われる。ステップ６８において、共通検出スイッチ３１による遊技球の検出があったと判別された場合には、ステップ６９に進み、大入賞口３への入賞に対する賞球、即ち、共通検出スイッチ３１の検出に対する規定賞球（１３球）の払出しが行われる。一方、ステップ６８において、遊技球の検出が無かったと判別された場合には、ステップ７０に進み、１ラウンドを更新する（大入賞口を継続開放しておく）規定時間が経過したか否かの判別が行われる。ステップ７０において規定時間が経過していないと判別された場合には、ステップ６８に戻り、再度、共通検出スイッチ３１による遊技球の検出があったか否かの判別が行われる。一方、ステップ７０において規定時間が経過したと判別された場合には、ステップ７２に進み、大当り遊技のラウンド数の更新が行われる。
【００４２】
ステップ６９において賞球の払出が行われると、ステップ７１に進み、１ラウンドにおいて遊技球の入賞が許容されるラウンド規定入賞球数（例えば、１０球）に達したか否かの判別が行われ、達していると判別された場合には、ステップ７２に進み、大当り遊技のラウンド数の更新が行われる。一方、ステップ７１において、ラウンド規定入賞球数に達していないと判別された場合には、ステップ６５に戻り上述した各ステップを繰返す。ステップ７２でラウンド数の更新が行われるとステップ７３に進み、大当たり１における最大継続ラウンド数（６ラウンド）に達したか否かの判別が行われ、達していると判別された場合には、大当り遊技を終了しステップ６１に戻って通常遊技を行う。一方、ステップ７３で最大継続ラウンド数に達していないと判別された場合には、ステップ６８に戻り上述した各ステップを繰返す。
【００４３】
次に、ステップ６３において「大当り１」ではないと判別された場合には、図６に示すフローチャートのステップ８１で大入賞口（下）４が開放される。大入賞口（下）が開放されると、ステップ８２に進み、所定検出スイッチ３０又は共通検出スイッチ３１によって遊技球の検出が有ったか否かの判別が行われる。ステップ８２において検出があったと判別された場合には、ステップ８３に進み、その遊技球の検出が、（i）所定検出スイッチ３０→（ii）共通検出スイッチ３１の順に検出されたか否かの判別が行われる。
【００４４】
一方、ステップ８２において所定検出スイッチ３０及び共通検出スイッチ３１によって遊技球の検出が無かったと判別された場合には、ステップ８４に進み、１ラウンドを更新する（大入賞口を継続開放しておく）規定時間が経過したか否かの判別が行われる。ステップ８４において規定時間が経過していないと判別された場合には、ステップ８２に戻り、再度、所定検出スイッチ３０又は共通検出スイッチ３１によって遊技球の検出があったか否かの判別が行われる。一方、ステップ８４において規定時間が経過したと判別された場合には、ステップ９０に進み、大当り遊技のラウンド数の更新が行われる。
【００４５】
ところで、ステップ６３において大当り２が発生したと判別され、大入賞口（下）４が開放されているため、入賞した遊技球は、先ず所定検出スイッチ３０によって検出され、次に共通スイッチ３１によって検出されるべきものである。従って、ステップ８３において（i）所定検出スイッチ３０→（ii）共通検出スイッチ３１の順に検出されていないと判別された場合には、異常状態が発生していると判断される。そして、その場合にはステップ８７に進み、異常状態の発生が外部に報知される。この報知の内容は、図５に示すフローチャートのステップ６６、６７と同様である。尚、異常状態が解除されていると判別された場合にはステップ８２に戻る。
【００４６】
一方、ステップ８３において、（i）所定検出スイッチ３０→（ii）共通検出スイッチ３１の順に検出されていると判別された場合には、ステップ８５、８６に進み、大入賞口４への入賞に対する賞球、即ち、所定検出スイッチ３０の検出に対する規定賞球（２球）と、共通検出スイッチ３１の検出に対する規定賞球（１３球）の払出しが行われる。ステップ８５、８６において賞球の払出が行われると、ステップ８９に進み、１ラウンドにおいて遊技球の入賞が許容されるラウンド規定入賞球数（例えば、１０球）に達したか否かの判別が行われ、達していると判別された場合には、ステップ９０に進み、大当り遊技のラウンド数の更新が行われる。一方、ステップ８９において、ラウンド規定入賞球数に達していないと判別された場合には、ステップ８２に戻り上述した各ステップを繰返す。
【００４７】
ステップ９０でラウンド数の更新が行われるとステップ９１に進み、大当たり２における最大継続ラウンド数（１５ラウンド）に達したか否かの判別が行われ、達していると判別された場合には、大当り遊技を終了しステップ６１に戻って通常遊技を行う。一方、ステップ９１で最大継続ラウンド数に達していないと判別された場合には、ステップ８２に戻り上述した各ステップを繰返す。
【００４８】
次に、図５、図６に示すフローチャートにおいて、図４（ｂ）から（ｄ）の不正行為（コネクタ接続配線の差し換え）が行われた場合の制御内容について説明する。
図４（ｂ）のように大入賞口（上）３の駆動源４５の配線と、大入賞口（下）４の駆動源４６の配線が逆に接続された場合には以下のような制御内容となる。図５に示すフローチャートにおいて、偶数の当り図柄が停止表示されるとステップ６３で大当り１が発生したと判別され、主制御手段４１から大入賞口（上）３の駆動源４５を動作させようとする制御信号が送信される。しかしながら、図（ｂ）のように配線が逆となっているため、この制御信号によって駆動源４６が駆動され大入賞口（下）４が開閉動作する（ステップ６４）。これにより開放状態となった大入賞口（下）４に遊技球が入賞すると、入賞した遊技球は先ず所定検出スイッチ３０によって検出され、次に共通検出スイッチ３１によって検出される。従って、ステップ６５において、所定検出スイッチ３０による遊技球の検出があったと判別されステップ６６に進み、異常状態の発生が外部に報知される。この報知は、上述したように異常状態が解除されるまで継続され、パチンコ遊技は中断される。
【００４９】
一方、奇数の当り図柄が停止表示された場合にはステップ６３で大当り２が発生したと判別され、主制御手段４１から大入賞口（下）４の駆動源４６を動作させようとする制御信号が送信される。しかしながら、図（ｂ）のように配線が逆となっているため、この制御信号によって駆動源４５が駆動され大入賞口（上）３が開閉動作する（ステップ８１）。これにより開放状態となった大入賞口（上）３に遊技球が入賞すると、入賞した遊技球は共通検出スイッチ３１のみによって検出される。これにより、ステップ８２において、共通検出スイッチ３１による遊技球の検出があったと判別されステップ８３に進む。しかしながら所定検出スイッチ３０には検出されていないため、ステップ８３において（i）所定検出スイッチ３０→（ii）共通検出スイッチ３１の順に検出されていないと判別され、ステップ８７に進み、異常状態が発生していると判断される。異常状態発生の外部への報知、パチンコ遊技の中断は上述の通りである。
【００５０】
以上のように、図４（ｂ）に示す大入賞口（上）３の駆動源４５の配線と、大入賞口（下）４の駆動源４６の配線を逆に接続する不正行為が行われた場合には、大当り遊技時において異常が発生したと判断され、大入賞口への遊技球の入賞に対する賞球は払い出されず、遊技者がその不正行為によって正規の大当り遊技で獲得できる賞球以上の賞球を得ることはない。不正行為が行われたことは制御手段によって判別され、発生した大当り遊技によって通常獲得し得る正規の賞球よりも少ない賞球が払い出されるように制御される。
ここで、大入賞口３が開閉動作を行う大当り遊技の場合、ラウンド更新許容球数を１０球とし、遊技が最大継続ラウンドである６ラウンドまで継続され、各ラウンドでラウンド更新許容球数まで入賞したとすると、共通検出スイッチ３１の賞球は１３球であるから、大当り遊技で払い出される最大全賞球数は７８０球である。従って、不正遊技が行われていない通常の大当り遊技では、通常獲得し得る正規の賞球とは７８０球を意味する。但し、遊技者の技量によって必ずしも最大賞球数まで獲得できるとは限らないので、正確に７８０球に限定されるものではない。
【００５１】
次に、図４（ｃ）のように、共通検出スイッチ３１の配線と、所定検出スイッチ３０の配線が逆に接続された場合には以下のような制御内容となる。図５に示すフローチャートにおいて、ステップ６３で大当り１が発生したと判別され、主制御手段４１から大入賞口（上）３の駆動源４５を動作させる制御信号が送信されて、ステップ６４で大入賞口（上）３が開閉動作を行う。大入賞口（上）３に入賞した遊技球は、図２に示すように形成された遊技球通路２６、２８を通って共通検出スイッチ３１のみによって検出される。しかしながら、図（ｃ）のように検出スイッチの配線が逆となっているため、実際には共通検出スイッチ３１によって検出された検出信号が、所定検出スイッチ３０によって検出された信号として中継基板４４を介して主制御基板４０に入力される。従って、ステップ６５において、所定検出スイッチ３０による遊技球の検出があったと判別されステップ６６に進み、異常状態の発生が外部に報知される。この報知は上述したように異常状態が解除されるまで継続され、また、パチンコ遊技は中断される。
【００５２】
一方、ステップ６３で大当り２が発生したと判別されると、主制御手段４１から大入賞口（下）４の駆動源４６を動作させる制御信号が送信され、ステップ８１において大入賞口（下）４が開閉動作を行う。大入賞口（下）４に入賞した遊技球は、図２に示すように形成されている遊技球通路２８を通って、先ず所定検出スイッチ３０によって検出され、次に共通検出スイッチ３１によって検出される。しかしながら、図（ｃ）のように検出スイッチの配線が逆となっているため、実際には（i）所定検出スイッチ３０→（ii）共通検出スイッチ３１の順に検出されているにも拘わらず、（i）共通検出スイッチ３１→（ii）所定検出スイッチ３０の順に検出されたものとして検出信号が中継基板４４を介して主制御基板４０に入力される。従って、ステップ８２で所定検出スイッチ３０又は共通検出スイッチ３１によって検出されたと判別されるが、ステップ８３において（i）所定検出スイッチ３０→（ii）共通検出スイッチ３１の順に検出されていないと判別されてステップ８７に進み、異常状態の発生が外部に報知される。この報知は上述したように異常状態が解除されるまで継続され、また、パチンコ遊技は中断される。
【００５３】
以上のように、図４（ｃ）に示す共通検出スイッチ３１の配線と、所定検出スイッチ３０の配線を逆に接続する不正行為が行われた場合には、大当り遊技時において異常が発生したと判断され、大入賞口への遊技球の入賞に対する賞球は払い出されず、遊技者がその不正行為によって正規の大当り遊技で獲得できる賞球以上の賞球を得ることはない。
【００５４】
次に、図（ｄ）のように大入賞口（上）３の駆動源４５の配線と大入賞口（下）４の駆動源４６の配線、および共通検出スイッチ３１の配線と所定検出スイッチ３０の配線が逆に接続された場合には以下のような制御内容となる。図５に示すフローチャートにおいて、ステップ６３で大当り１が発生したと判別されると、主制御手段４１から大入賞口（上）３の駆動源４５を動作させようとする制御信号が送信される。しかしながら、図（ｄ）のように大入賞口（上）３の駆動源４５の配線と大入賞口（下）４の駆動源４６の配線が逆となっているため、この制御信号によって駆動源４６が駆動され大入賞口（下）４が開閉動作する（ステップ６４）。
【００５５】
開放状態となった大入賞口（下）４に遊技球が入賞すると、図２に示すように形成されている遊技球通路２８を通って、先ず所定検出スイッチ３０によって検出され、次に共通検出スイッチ３１によって検出される。しかしながら、図（ｄ）のように検出スイッチの配線が逆となっているため、実際には（i）所定検出スイッチ３０→（ii）共通検出スイッチ３１の順に検出されているにも拘わらず、（i）共通検出スイッチ３１→（ii）所定検出スイッチ３０の順に検出されたものとして検出信号が中継基板４４を介して主制御基板４０に入力される。従って、ステップ６５において、先ず最初は、所定検出スイッチ３０による遊技球の検出が無かったと判別されてステップ６８に進む。ステップ６８では共通検出スイッチ３１による遊技球の検出があったと判別され、ステップ６９で共通検出スイッチ３１の検出に対する規定賞球（１３球）の払出しが行われる。続いてステップ７１において、ラウンド規定入賞球数（例えば、１０球）に達したか否かの判別が行われ、達していないと判別されてステップ６５に戻る。
【００５６】
大入賞口（下）４に入賞した遊技球は、（i）共通検出スイッチ３１→（ii）所定検出スイッチ３０の順に検出されたものとしてその検出信号が主制御基板４０に入力されているため、ステップ６５において、今度は、所定検出スイッチ３０による遊技球の検出があったと判別されてステップ６６に進む。ステップ６６において異常状態の発生が外部に報知され、この報知は、上述したように異常状態が解除されるまで継続され、また、パチンコ遊技は中断される。
【００５７】
一方、ステップ６３で大当り２が発生したと判別されると、主制御手段４１から大入賞口（下）４の駆動源４６を動作させようとする制御信号が送信される。しかしながら、図（ｄ）のように大入賞口（上）３の駆動源４５の配線と大入賞口（下）４の駆動源４６の配線が逆となっているため、この制御信号によって駆動源４５が駆動され大入賞口（上）３が開閉動作する（ステップ８１）。大入賞口（上）３に入賞した遊技球は、図２に示すように形成された遊技球通路２６、２８を通って共通検出スイッチ３１のみによって検出される。しかしながら、図（ｄ）のように検出スイッチの配線が逆となっているため、実際には共通検出スイッチ３１によって検出された検出信号が、所定検出スイッチ３０によって検出された信号として中継基板４４を介して主制御基板４０に入力される。従って、ステップ８２で所定検出スイッチ３０又は共通検出スイッチ３１によって検出されたと判別されるが、ステップ８３において（i）所定検出スイッチ３０→（ii）共通検出スイッチ３１の順に検出されていないと判別されてステップ８７に進み、異常状態の発生が外部に報知される。この報知は上述したように異常状態が解除されるまで継続され、また、パチンコ遊技は中断される。
【００５８】
以上のように、図４（ｄ）に示す大入賞口（上）３の駆動源４５の配線と大入賞口（下）４の駆動源４６の配線、および共通検出スイッチ３１の配線と所定検出スイッチ３０の配線を逆に接続する不正行為が行われた場合には、大当り１が発生したときは、一球の入賞球のみに対する共通検出スイッチ３１の規定賞球（１３球）が払出された後に異常が発生したと判断され、大当り２が発生したときは、大入賞口への入賞に対する賞球の払い出しは行われることなく異常が発生したと判断され、遊技者がその不正行為によって正規の大当り遊技で獲得できる賞球以上の賞球を得ることはない。制御手段によってその不正行為が行われたことが判別でき、容易に不正遊技を防止することができる。
【００５９】
図７、図８は、大当り遊技が発生したときに実行される制御の別の一形態を示すフローチャートである。この形態は、図５、図６に示した形態と比較して、各検出スイッチの検出に対する賞球数のみが相違しており、その他の構成は同じである。この形態では、所定検出スイッチ３０の遊技球一球検出に対する賞球は０球であり、共通検出スイッチ３１の賞球は１５球である。つまり大入賞口３に入賞した遊技球は共通検出スイッチ３１のみによって検出され、大入賞口４に入賞した遊技球は、先ず所定検出スイッチ３０によって検出され、次に共通検出スイッチ３１によって検出されるが、その入賞に対して払い出される賞球はいずれも１５球である。
【００６０】
尚、共通検出スイッチ３１の遊技球一球検出に対する賞球数を、大当りの種類によって相違させるようにしてもよい。つまり、大入賞口３が開閉動作する大当り遊技では、共通検出スイッチ３１の検出に対する賞球数を１０球とし、大入賞口４が開閉動作する大当り遊技では、共通検出スイッチ３１の検出に対する賞球数を１５球としてもよい。所定検出スイッチ３０の遊技球一球検出に対する賞球は０球のままとする。大入賞口３に入賞した遊技球は共通検出スイッチ３１のみによって検出され、その入賞に対して払い出される賞球は１０球であり、賞球大入賞口４に入賞した遊技球は、先ず所定検出スイッチ３０によって検出され、次に共通検出スイッチ３１によって検出されるが、その入賞に対して払い出される賞球は１５球である。
【００６１】
図７に示すフローチャートの制御内容は、図５に示したフローチャートの内容と同じであるため、その説明は省略する。
また、図８に示す「大当り２」が発生した場合のフローチャートの制御内容は、図６のフローチャートにおける、所定検出スイッチ３０の検出に対する規定賞球の払い出し（ステップ８５）に相当するステップのみを省略した制御内容と同じであるため、その説明は省略する。尚、ステップ８５に相当するステップを省略したのは、この形態では所定検出スイッチ３０の検出に対する規定賞球数は０球に設定されているからである。
【００６２】
次に、図７、図８に示すフローチャートにおいて、図４（ｂ）から（ｄ）の不正行為（コネクタ接続配線の差し換え）が行われた場合の制御内容について説明する。
図４（ｂ）のように大入賞口（上）３の駆動源４５の配線と、大入賞口（下）４の駆動源４６の配線が逆に接続された場合の制御内容は、図５、図６に示す形態のフローチャートにおいて図４（ｂ）の配線に接続した場合の制御内容と同様である。
【００６３】
次に、図４（ｃ）のように、共通検出スイッチ３１の配線と、所定検出スイッチ３０の配線が逆に接続された場合の制御内容は、図５、図６に示す形態のフローチャートにおいて図４（ｃ）の配線に接続した場合の制御内容と同様である。
【００６４】
次に、図（ｄ）のように、大入賞口（上）３の駆動源４５の配線と大入賞口（下）４の駆動源４６の配線、および共通検出スイッチ３１の配線と所定検出スイッチ３０の配線が逆に接続された場合の制御内容は、大当り１が発生したときは、図５のフローチャ−トにおける、共通検出スイッチ３１の検出に対する規定賞球（１３球）の払出し（ステップ６９）に相当する制御が、規定賞球数１３球から１５球の払い出しに変更されるが、その他の制御内容については、図５、図６に示す形態のフローチャートにおいて図４（ｄ）の配線に接続した場合の制御内容と同様である。また、大当り２が発生したときは、図５、図６に示す形態のフローチャートにおいて図４（ｄ）の配線に接続した場合の制御内容と同様である。
【００６５】
尚、図７、図８に示す形態（所定検出スイッチ３０の遊技球一球検出に対する賞球は０球、共通検出スイッチ３１の賞球は１５球）のように、大入賞口（上）３と大入賞口（下）４への入賞に対する賞球数が同数に設定されている場合には、図２に示すような、大入賞口（下）４に入賞した遊技球を所定検出スイッチ３０と共通検出スイッチ３１によって検出し、大入賞口（上）３に入賞した遊技球を共通検出スイッチ３１のみによって検出する形態に限定されるものではなく、図２における所定検出スイッチ３０を遊技球通路２６に配設して、大入賞口（上）３に入賞した遊技球を所定検出スイッチ３０と共通検出スイッチ３１によって検出し、大入賞口（下）４に入賞した遊技球を共通検出スイッチ３１のみによって検出する構成にしてもよい。このような構成にした場合でも、図５、６及び図７、８に示した構成の場合と同様の作用、効果を奏することができる。
【図面の簡単な説明】
【００６６】
【図１】本発明に係るパチンコ機の、全体正面図の一形態を示す図である。
【図２】複数個配設された大入賞口に接続されている遊技球通路、及び遊技球通路に設けられた検出スイッチを示す図である。
【図３】本発明に係るパチンコ機の制御系を表わすブロック図である。
【図４】（ａ）は、主制御基板に接続される大入賞口及び検出スイッチの正規の接続配線を示す図である。（ｂ）（ｃ）（ｄ）は、それぞれ（ａ）の変更配線状態の一形態を示す図である。
【図５】大当り遊技の制御内容を示すフローチャートである。
【図６】大当り遊技の制御内容を示すフローチャートである。
【図７】大当り遊技の制御内容を示すフローチャートである。
【図８】大当り遊技の制御内容を示すフローチャートである。
【符号の説明】
【００６７】
２    可変表示装置
３    大入賞口（上）
４    大入賞口（下）
５    遊技領域
７    遊技盤
９    可変表示部
１０  始動入賞口
３０  所定検出スイッチ
３１  共通検出スイッチ
４１  主制御手段
４５、４６  駆動源（ソレノイド）
【図１】
2006305150.tif 000003
【図２】
2006305150.tif 000004
【図３】
2006305150.tif 000005
【図４】
2006305150.tif 000006
【図５】
2006305150.tif 000007
【図６】
2006305150.tif 000008
【図７】
2006305150.tif 000009
【図８】
2006305150.tif 000010